(57)【要約】      （修正有）【課題】自動的に両面印刷を行うことによりマスタのコスト削減に寄与することが可能な孔版印刷装置を提供する。【解決手段】印刷モードとして片面印刷を行う片面印刷モードと両面印刷モードとを切り替えることが可能であり、両面印刷時には給紙トレイ４６，４７，４８から両面印刷用の給紙トレイを選択すると共に版胴１１上に分割製版済みマスタ１４を巻装する孔版印刷装置１において、自動原稿読取装置６１に複数枚の原稿が載置されかつ両面印刷用の給紙トレイが選択された場合には、印刷モードを自動的に両面印刷モードに切り替える制御手段を有する構成とした。【選択図】図１
2008290296.tif 000002
【特許請求の範囲】
【請求項１】
装置本体に回転自在に支持された版胴及び前記版胴に対して接離自在に設けられた押圧手段を有する印刷部と、用紙を収納する給紙トレイを複数有する給紙部と、１枚または複数枚の原稿を自動的に読み取る自動原稿読取装置と、前記印刷部においてその表面に印刷画像を形成された用紙を一時的に貯容した後に前記印刷部に向けて再給紙する再給紙手段とを有し、前記自動原稿読取装置により読み取られた画像情報に基づいて印刷を行い、印刷モードとして片面印刷を行う片面印刷モードと用紙の一方の面に表面画像を印刷する表面印刷工程を行った後に該用紙の他方の面に裏面画像を印刷する裏面印刷工程を行う両面印刷を行う両面印刷モードとを切り替えることが可能であり、両面印刷時には複数の前記給紙トレイから両面印刷用の前記給紙トレイを選択すると共に前記版胴上に第１製版画像と第２製版画像とが２面並んだ分割製版済みマスタを巻装する孔版印刷装置において、
前記自動原稿読取装置に複数枚の原稿が載置されかつ両面印刷用の前記給紙トレイが選択された場合には、印刷モードを自動的に両面印刷モードに切り替える制御手段を有することを特徴とする孔版印刷装置。
【請求項２】
請求項１記載の孔版印刷装置において、
接続された外部装置から送られた画像情報に基づいて印刷を行うことが可能であり、前記外部装置から複数の画像情報が送られまたは前記外部装置から送られた画像情報が複数蓄積されかつ両面印刷用の前記給紙トレイが選択された場合には、前記制御手段が印刷モードを自動的に両面印刷モードに切り替えることを特徴とする孔版印刷装置。
【請求項３】
装置本体に回転自在に支持された版胴及び前記版胴に対して接離自在に設けられた押圧手段を有する印刷部と、１枚または複数枚の原稿を自動的に読み取る自動原稿読取装置と、前記印刷部においてその表面に印刷画像を形成された用紙を一時的に貯容した後に前記印刷部に向けて再給紙する再給紙手段とを有し、前記自動原稿読取装置により読み取られた画像情報に基づいて印刷を行い、印刷モードとして片面印刷を行う片面印刷モードと用紙の一方の面に表面画像を印刷する表面印刷工程を行った後に該用紙の他方の面に裏面画像を印刷する裏面印刷工程を行う両面印刷を行う両面印刷モードとを切り替えることが可能であり、両面印刷時には前記版胴上に第１製版画像と第２製版画像とが２面並んだ分割製版済みマスタを巻装する孔版印刷装置において、
印刷に使用する用紙サイズを設定可能であり、前記自動原稿読取装置に複数枚の原稿が載置されかつ両面印刷用の用紙サイズが設定された場合には、前記制御手段が印刷モードを自動的に両面印刷モードに切り替えることを特徴とする孔版印刷装置。
【請求項４】
請求項３記載の孔版印刷装置において、
接続された外部装置から送られた画像情報に基づいて印刷を行うことが可能であり、前記外部装置から複数の画像情報が送られまたは前記外部装置から送られた画像情報が複数蓄積されかつ両面印刷用の用紙サイズが設定された場合には、前記制御手段が印刷モードを自動的に両面印刷モードに切り替えることを特徴とする孔版印刷装置。
【請求項５】
装置本体に回転自在に支持された版胴及び前記版胴に対して接離自在に設けられた押圧手段を有する印刷部と、１枚または複数枚の原稿を自動的に読み取る自動原稿読取装置と、前記印刷部においてその表面に印刷画像を形成された用紙を一時的に貯容した後に前記印刷部に向けて再給紙する再給紙手段とを有し、前記自動原稿読取装置により読み取られた画像情報に基づいて印刷を行い、印刷モードとして片面印刷を行う片面印刷モードと用紙の一方の面に表面画像を印刷する表面印刷工程を行った後に該用紙の他方の面に裏面画像を印刷する裏面印刷工程を行う両面印刷を行う両面印刷モードとを切り替えることが可能であり、両面印刷時には前記版胴上に第１製版画像と第２製版画像とが２面並んだ分割製版済みマスタを巻装する孔版印刷装置において、
前記自動原稿読取装置に複数枚の原稿が載置されかつ所定枚数以上の印刷枚数が置数された場合には、前記制御手段が印刷モードを自動的に両面印刷モードに切り替えることを特徴とする孔版印刷装置。
【請求項６】
請求項５記載の孔版印刷装置において、
接続された外部装置から送られた画像情報に基づいて印刷を行うことが可能であり、前記外部装置から複数の画像情報が送られまたは前記外部装置から送られた画像情報が複数蓄積されかつ所定枚数以上の印刷枚数が置数された場合には、前記制御手段が印刷モードを自動的に両面印刷モードに切り替えることを特徴とする孔版印刷装置。
【請求項７】
請求項１ないし６の何れか１つに記載の孔版印刷装置において、
前記制御手段が印刷モードを自動的に両面印刷モードに切り替えるか否かを選択可能であることを特徴とする孔版印刷装置。
【請求項８】
請求項１ないし６の何れか１つに記載の孔版印刷装置において、
前記制御手段が印刷モードを自動的に両面印刷モードに切り替える第１の態様と、前記制御手段が印刷モードを自動的に両面印刷モードに切り替えるか否かを選択可能である第２の態様とを選択可能であることを特徴とする孔版印刷装置。
【発明の詳細な説明】
【技術分野】
【０００１】
本発明は、１枚のマスタに２面の製版画像を形成して１工程両面印刷を行うことが可能な孔版印刷装置に関する。
【背景技術】
【０００２】
従来、簡便な印刷方法としてデジタル式感熱孔版印刷が知られている。これは、熱可塑性樹脂フィルムと多孔性支持体とを貼り合わせたマスタに微細な発熱素子を複数有するサーマルヘッドを接触させ、この発熱素子に対しパルス的に通電を行いながらマスタをプラテンローラ等の搬送手段で搬送することにより、マスタの熱可塑性樹脂フィルムに画像情報に基づいた穿孔画像を熱溶融穿孔製版した後、この穿孔製版されたマスタを多孔性円筒状の版胴に巻装させ、プレスローラ等の押圧手段によって用紙を版胴外周面に押圧させることで版胴内周面に供給されたインキを版胴開孔部及びマスタ穿孔部から滲出させ、このインキを用紙に転移させることにより用紙上に印刷画像を得るものである。
【０００３】
上述した孔版印刷において、最近では用紙の消費量及び書類の保管スペースを低減させるため等の目的から用紙の両面に印刷を行う両面印刷が頻繁に行われるようになってきている。この一例として、版胴の回転方向に第１製版画像と第２製版画像とが２面並んだ分割製版済みマスタを用い、給紙部より給紙された１枚目の用紙の表面に一方の製版画像を印刷した後にこの用紙を補助トレイに案内し、給紙部より給送された２枚目の用紙の表面に一方の製版画像を印刷した後にこの用紙を補助トレイに案内すると共に、補助トレイより１枚目の用紙を再給紙してこの裏面に他方の製版画像を印刷してこの用紙を排紙トレイに排出し、この動作を連続して行うことにより１工程で両面印刷物を得る孔版印刷装置が、例えば「特許文献１」に開示されている。
【０００４】
【特許文献１】特開２００５−２４６７３０号公報
【発明の開示】
【発明が解決しようとする課題】
【０００５】
「特許文献１」に開示された孔版印刷装置において複数枚の原稿を片面印刷する場合には、原稿枚数と同枚数のマスタを製版する必要がある。このときマスタを節約して製版を行う場合には、２ページの原稿を１ページに集約する機能を使用することによりマスタの枚数を半減することができるが、印刷画像として文字が小さくなりすぎて読めないものや画像がつぶれてしまうもの等が出力されてしまうという問題点がある。
【０００６】
そのため上述の孔版印刷装置においてマスタを節約する場合に、１枚のマスタに２面の製版画像を形成する両面印刷を行うことが考えられる。この両面印刷によれば、画像のサイズを変更しないために違和感のない印刷画像を得ることができるが、オペレータが両面印刷の機能を知らなかったり、両面印刷の設定をし忘れたり、操作ミスによって両面印刷が設定されなかったりした場合には、片面印刷が行われて原稿枚数分のマスタへの製版動作が行われてしまう。
【０００７】
本発明は上述の問題点を解決し、オペレータが意識することなく自動的に両面印刷を行うことによりマスタのコスト削減に寄与することが可能な孔版印刷装置の提供を目的とする。
【課題を解決するための手段】
【０００８】
請求項１記載の発明は、装置本体に回転自在に支持された版胴及び前記版胴に対して接離自在に設けられた押圧手段を有する印刷部と、用紙を収納する給紙トレイを複数有する給紙部と、１枚または複数枚の原稿を自動的に読み取る自動原稿読取装置と、前記印刷部においてその表面に印刷画像を形成された用紙を一時的に貯容した後に前記印刷部に向けて再給紙する再給紙手段とを有し、前記自動原稿読取装置により読み取られた画像情報に基づいて印刷を行い、印刷モードとして片面印刷を行う片面印刷モードと用紙の一方の面に表面画像を印刷する表面印刷工程を行った後に該用紙の他方の面に裏面画像を印刷する裏面印刷工程を行う両面印刷を行う両面印刷モードとを切り替えることが可能であり、両面印刷時には複数の前記給紙トレイから両面印刷用の前記給紙トレイを選択すると共に前記版胴上に第１製版画像と第２製版画像とが２面並んだ分割製版済みマスタを巻装する孔版印刷装置において、前記自動原稿読取装置に複数枚の原稿が載置されかつ両面印刷用の前記給紙トレイが選択された場合には、印刷モードを自動的に両面印刷モードに切り替える制御手段を有することを特徴とする。
【０００９】
請求項２記載の発明は、請求項１記載の孔版印刷装置において、さらに接続された外部装置から送られた画像情報に基づいて印刷を行うことが可能であり、前記外部装置から複数の画像情報が送られまたは前記外部装置から送られた画像情報が複数蓄積されかつ両面印刷用の前記給紙トレイが選択された場合には、前記制御手段が印刷モードを自動的に両面印刷モードに切り替えることを特徴とする。
【００１０】
請求項３記載の発明は、装置本体に回転自在に支持された版胴及び前記版胴に対して接離自在に設けられた押圧手段を有する印刷部と、１枚または複数枚の原稿を自動的に読み取る自動原稿読取装置と、前記印刷部においてその表面に印刷画像を形成された用紙を一時的に貯容した後に前記印刷部に向けて再給紙する再給紙手段とを有し、前記自動原稿読取装置により読み取られた画像情報に基づいて印刷を行い、印刷モードとして片面印刷を行う片面印刷モードと用紙の一方の面に表面画像を印刷する表面印刷工程を行った後に該用紙の他方の面に裏面画像を印刷する裏面印刷工程を行う両面印刷を行う両面印刷モードとを切り替えることが可能であり、両面印刷時には前記版胴上に第１製版画像と第２製版画像とが２面並んだ分割製版済みマスタを巻装する孔版印刷装置において、印刷に使用する用紙サイズを設定可能であり、前記自動原稿読取装置に複数枚の原稿が載置されかつ両面印刷用の用紙サイズが設定された場合には、前記制御手段が印刷モードを自動的に両面印刷モードに切り替えることを特徴とする。
【００１１】
請求項４記載の発明は、請求項３記載の孔版印刷装置において、さらに接続された外部装置から送られた画像情報に基づいて印刷を行うことが可能であり、前記外部装置から複数の画像情報が送られまたは前記外部装置から送られた画像情報が複数蓄積されかつ両面印刷用の用紙サイズが設定された場合には、前記制御手段が印刷モードを自動的に両面印刷モードに切り替えることを特徴とする。
【００１２】
請求項５記載の発明は、装置本体に回転自在に支持された版胴及び前記版胴に対して接離自在に設けられた押圧手段を有する印刷部と、１枚または複数枚の原稿を自動的に読み取る自動原稿読取装置と、前記印刷部においてその表面に印刷画像を形成された用紙を一時的に貯容した後に前記印刷部に向けて再給紙する再給紙手段とを有し、前記自動原稿読取装置により読み取られた画像情報に基づいて印刷を行い、印刷モードとして片面印刷を行う片面印刷モードと用紙の一方の面に表面画像を印刷する表面印刷工程を行った後に該用紙の他方の面に裏面画像を印刷する裏面印刷工程を行う両面印刷を行う両面印刷モードとを切り替えることが可能であり、両面印刷時には前記版胴上に第１製版画像と第２製版画像とが２面並んだ分割製版済みマスタを巻装する孔版印刷装置において、前記自動原稿読取装置に複数枚の原稿が載置されかつ所定枚数以上の印刷枚数が置数された場合には、前記制御手段が印刷モードを自動的に両面印刷モードに切り替えることを特徴とする。
【００１３】
請求項６記載の発明は、請求項５記載の孔版印刷装置において、さらに接続された外部装置から送られた画像情報に基づいて印刷を行うことが可能であり、前記外部装置から複数の画像情報が送られまたは前記外部装置から送られた画像情報が複数蓄積されかつ所定枚数以上の印刷枚数が置数された場合には、前記制御手段が印刷モードを自動的に両面印刷モードに切り替えることを特徴とする。
【００１４】
請求項７記載の発明は、請求項１ないし６の何れか１つに記載の孔版印刷装置において、さらに前記制御手段が印刷モードを自動的に両面印刷モードに切り替えるか否かを選択可能であることを特徴とする。
【００１５】
請求項８記載の発明は、請求項１ないし６の何れか１つに記載の孔版印刷装置において、さらに前記制御手段が印刷モードを自動的に両面印刷モードに切り替える第１の態様と、前記制御手段が印刷モードを自動的に両面印刷モードに切り替えるか否かを選択可能である第２の態様とを選択可能であることを特徴とする。
【発明の効果】
【００１６】
本発明によれば、オペレータが両面印刷モードを設定し忘れたり設定することを知らなかったりした場合及び不適切な操作を行って両面印刷モードが設定されていなくとも、原稿枚数及び使用する給紙トレイの種類を制御手段が判断して自動的に両面印刷モードが設定されるので、オペレータが意識することなく自動的に両面印刷を行うことができ、マスタ及び用紙の消費量を半減してコスト低減を図ることができる。
【発明を実施するための最良の形態】
【００１７】
図１は、本発明の第１の実施形態を採用した孔版印刷装置を示している。この孔版印刷装置は、特開２００３−２００６４５号に開示された両面印刷装置と関連した構成を有しているので、各部位の説明をできるだけ省略する。
【００１８】
図１において孔版印刷装置１は、印刷部２、製版部３、給紙部４、排版部５、排紙部６、画像読取部７、補助トレイ８を有する再給紙手段９、切替部材１０等を有している。
【００１９】
装置本体４２のほぼ中央に配置された印刷部２は、版胴１１と押圧手段としてのプレスローラ１２とを有している。版胴１１は装置本体４２に回転自在に支持されており、図示しない版胴駆動手段によって回転駆動される。版胴１１はその外周面に開閉自在なクランパ１３を有しており、両面印刷時において版胴１１の外周面には製版部３で製版された分割製版済みマスタ１４が巻装される。分割製版済みマスタ１４には表面画像に応じた第１製版画像と裏面画像に応じた第２製版画像とが形成されており、各製版画像間には未製版部分が形成されている。分割製版済みマスタ１４は、版胴１１上において、第１製版画像が図１に示す表面領域に、第２製版画像が同裏面領域に、未製版部分が同中間領域にそれぞれ対応するように巻装される。版胴１１の外周面近傍には、版胴１１の位置を検知する図示しないロータリエンコーダが設けられている。
【００２０】
版胴１１の下方にはプレスローラ１２が配設されている。フッ素樹脂等の撥水性を有する弾性体からなるプレスローラ１２は図示しないアーム部材にその両端を回転自在に支持されており、図示しないアーム部材は図示しない揺動手段によって揺動自在に支持されている。プレスローラ１２はその周面が版胴１１より離間する図１に示す離間位置と、その周面が版胴１１上の分割製版済みマスタ１４に圧接する圧接位置とを選択的に占める。プレスローラ１２の周面近傍には、プレスローラ１２の周面に接触してクリーニングを行うクリーニングローラ１６が配設されている。クリーニングローラ１６は、図示しない駆動手段によって回転駆動される。
【００２１】
プレスローラ１２の右方近傍には再給紙手段９から送られた表面印刷済みの用紙Ｐをプレスローラ１２の周面に沿わせて搬送するための再給紙案内部材１７が配設されており、プレスローラ１２の下方には補助トレイ８上に貯留された用紙Ｐをプレスローラ１２の周面に接触させて送り出す再給紙レジストローラ１８が配設されている。プレスローラ１２の左下方には上面に補助トレイ８を有する再給紙搬送ユニット１９が配設されており、これには再給紙位置決め部材２０が一体的に設けられている。再給紙搬送ユニット１９の上方には、補助トレイ８の上面に沿って移動自在な用紙受け板２１が配設されている。これら補助トレイ８、再給紙案内部材１７、再給紙レジストローラ１８、再給紙位置決め部材２０、再給紙搬送ユニット１９及び用紙受け板２１によって再給紙手段９が構成されている。
【００２２】
版胴１１とプレスローラ１２との接触位置の左方であって、用紙Ｐの搬送経路上には切替部材１０が配設されている。切替部材１０はその用紙搬送方向下流側端部を装置本体４２に回動自在に支持されており、図示しない移動手段によって移動され、図１に実線で示す第１の位置と二点鎖線で示す第２の位置とを選択的に占める。版胴１１とプレスローラ１２との間を通過した用紙Ｐは、切替部材１０が第１の位置を占めているときに排紙部６へと案内され、切替部材１０が第２の位置を占めているときに補助トレイ８へと案内される。
【００２３】
印刷部２の右上方には製版部３が配設されている。製版部３は、マスタ２２をロール状に巻成したマスタロールを保持するマスタ保持部材２３、プラテンローラ２４、サーマルヘッド２５、マスタ切断手段２６、マスタストック部２７、テンションローラ対２８、反転ローラ対２９等を有する周知の構成であり、製版部３では分割製版済みマスタ１４が作成される。
【００２４】
製版部３の下方には給紙部４が配設されている。給紙部４は、第1給紙トレイ４６、第2給紙トレイ４７、第3給紙トレイ４８、第1給紙ローラ４９、第2給紙ローラ５０、第3給紙ローラ５１、搬送ローラ対５２、レジストローラ対５３等を有している。本実施形態において孔版印刷装置１は最大Ａ３サイズの用紙Ｐを印刷可能に構成されており、第1給紙トレイ４６には両面印刷が可能であるＢ５サイズ以下及びＢ5サイズ及びＡ４サイズの用紙Ｐが収納され、第2給紙トレイ４７には両面印刷が不可であるＢ4サイズ及びＡ３サイズの用紙Ｐが収納される。第3給紙トレイ４８には全てのサイズの用紙Ｐが積載可能であり、各給紙トレイ４６，４７，４８には収納及び積載された用紙Ｐのサイズを検知する用紙サイズ検知センサが設けられている。
【００２５】
印刷部２の左上方に配設された排版部５は、上排版部材、下排版部材、排版ボックス、圧縮板等を有する周知の構成であり、使用済みの分割製版済みマスタ１４を版胴１１の外周面より剥離して排版ボックスの内部に廃棄する。
【００２６】
排版部５の下方には排紙部６が配設されている。排紙部６は、剥離爪３１、排紙搬送ユニット３２、排紙トレイ３３、剥離ファン３４等を有している。剥離爪３１は図示しない揺動手段によってその先端部が版胴１１の外周面に対して近接・離間自在に設けられており、近接位置を占めた際に版胴１１の外周面上より用紙Ｐを剥離する。排紙搬送ユニット３２は、駆動ローラ、従動ローラ、無端ベルト、吸引ファン等を有しており、無端ベルトの上面に印刷済みの用紙Ｐを吸引しつつ図１の矢印方向に搬送する。排紙トレイ３３は１個のエンドフェンスと一対のサイドフェンスとを有しており、その上面に印刷済みの用紙Ｐを積載する。剥離ファン３４は剥離爪３１の上方に配設されており、版胴１１の外周面に向けて送風を行うことにより表面印刷工程を終えて切替部材１０によって版胴１１の外周面上から剥離される用紙Ｐ、及び裏面印刷工程を終えて剥離爪３１によって版胴１１の外周面上から剥離される用紙Ｐの先端をそれぞれ送風によって浮き上がらせる。
【００２７】
装置本体の上部には画像読取部７が配設されている。画像読取部７は、コンタクトガラス５４、コンタクトガラス５４に対して接離自在に設けられた圧板５５、原稿画像を走査して読み取る反射ミラー５６，５７及び蛍光灯５８、走査された画像を集束するレンズ５９、集束された画像を処理する画像センサ６０等を有しており、その上部には自動原稿読取装置であるＡＤＦユニット６１が設けられている。ＡＤＦユニット６１は複数枚の原稿を載置可能な原稿トレイ６２を有しており、原稿トレイ６２には原稿の有無を検知する原稿センサ６３が設けられている。
【００２８】
図２は、孔版印刷装置１の操作パネルを示している。同図において操作パネル１５には、製版スタートキー３５、印刷スタートキー３６、ストップキー３７、テンキー３８、７セグメントＬＥＤからなる表示装置３９、ＬＣＤからなる表示装置４０、両面印刷を行う際に押下される両面印刷キー４１等の周知の構成の他、印刷時に各給紙トレイ４６，４７，４８の何れを使用するかを選択するトレイ選択キー６４が配設されている。トレイ選択キー６４は、オペレータが押下する毎に使用するトレイが第１給紙トレイ４６、第２給紙トレイ４７、第３給紙トレイ４８と切り替えられ、選択されたトレイは表示装置４０に表示される。
【００２９】
図３は、孔版印刷装置１に用いられる制御手段のブロック図である。同図において制御手段３０は、内部にＣＰＵ４３、ＲＯＭ４４、ＲＡＭ４５等を有するマイクロコンピュータであり、図示しないロータリエンコーダ及び操作パネル１５からの動作信号及び各センサからの検知信号に基づいて印刷部２、製版部３、給紙部４、排版部５、排紙部６、画像読取部７、再給紙手段９、切替部材１０及びソレノイド５０の作動をそれぞれ制御する。ＲＯＭ４４には孔版印刷装置１の動作プログラムが記憶されていると共に、ＲＡＭ４５には各種数値や情報等が一時的に記憶され、ＣＰＵ４３はＲＡＭ４５に記憶された数値や情報等及びＲＯＭ４４から呼び出された動作プログラムに基づいて孔版印刷装置１の動作制御を行う。
【００３０】
上述した孔版印刷装置１では、画像読取部７に原稿がセットされ両面印刷キー４１が押下されずに製版スタートキー３５が押下されることにより片面印刷モードが設定され、排版部５が作動して排版動作が行われた後に製版部３が作動して製版動作が行われ、版胴１１に製版済みマスタが巻装されて片面印刷待機状態となる。その後、給紙トレイが選択され印刷枚数が置数された後に印刷スタートキー３６が押下されることにより、給紙部４より用紙Ｐが連続的に給送されて片面印刷動作が行われる。置数された印刷枚数に達すると片面印刷動作が完了して孔版印刷装置１は再び片面印刷待機状態となる。
【００３１】
この片面印刷時において、ＡＤＦユニット６１の原稿トレイ６２上に複数枚の原稿が載置され、製版動作と印刷動作とを連続して行うモードが設定された後に給紙トレイが選択され、印刷枚数が置数された後に両面印刷キー４１が押下されずに製版スタートキー３５が押下されることにより片面印刷モードが設定され、製版スタートキー３５が押下されると１枚目の原稿に対する読み取り動作、排版動作、製版動作が行われて版胴１１に製版済みマスタが巻装された後、給紙部４より用紙Ｐが連続的に給送されて片面印刷動作が行われ、置数された印刷枚数に達すると２枚目の原稿に対する読み取り動作、排版動作、製版動作、印刷動作が連続して行われる。そして原稿センサ６３が原稿を検知しなくなった後に読み取り動作、排版動作、製版動作、印刷動作が完了すると、孔版印刷装置１は再び片面印刷待機状態となる。
【００３２】
また、画像読取部７に原稿がセットされ両面印刷キー４１が押下された後に製版スタートキー３５が押下されることにより両面印刷モードが設定され、排版部５が作動して排版動作が行われた後に製版部３が作動して製版動作が行われ、版胴１１に分割製版済みマスタ１４が巻装されて両面印刷待機状態となる。その後、給紙トレイが選択され印刷枚数が置数された後に印刷スタートキー３６が押下されることにより、給紙部４より用紙Ｐが連続的に給送されて両面印刷が行われる。置数された印刷枚数に達すると両面印刷動作が完了して孔版印刷装置１は再び両面印刷待機状態となる。
【００３３】
この両面印刷時において、ＡＤＦユニット６１の原稿トレイ６２上に複数枚の原稿が載置され、製版動作と印刷動作とを連続して行うモードが設定された後に給紙トレイが選択され、印刷枚数が置数され両面印刷キー４１が押下された後に製版スタートキーが押下されることにより両面印刷モードが設定され、製版スタートキー３５が押下されると１枚目の原稿に対する読み取り動作、排版動作、製版動作が行われて版胴１１に分割製版済みマスタ１４が巻装された後、給紙部４より用紙Ｐが連続的に給送されて両面印刷が行われ、置数された印刷枚数に達すると２枚目の原稿に対する読み取り動作、排版動作、製版動作、印刷動作が連続して行われる。そして原稿センサ６３が原稿を検知しなくなった後に読み取り動作、排版動作、製版動作、印刷動作が完了すると、孔版印刷装置１は再び両面印刷待機状態となる。
【００３４】
上述した両面印刷動作時において、給紙トレイの選択時に両面印刷に不適な給紙トレイ（本実施形態では両面印刷動作が可能なのはＡ４サイズまでであるため不適な給紙トレイは第２給紙トレイ４７及びＡ４サイズを超える用紙Ｐが積載された第３給紙トレイ４８となる）が選択された場合には、制御手段３０は給紙トレイが不適である旨を表示装置４０に表示して製版スタートキー３５及び印刷スタートキー３６からの入力を無効化させる。
【００３５】
上述の孔版印刷装置１において、マスタ２２及び用紙Ｐを節約すべくＡＤＦユニット６１を用いて複数枚の原稿による両面印刷を行う場合に、オペレータが両面印刷キー４１を押下し忘れたり押下することを知らなかったりした場合には、片面印刷動作が行われて原稿の枚数分だけ製版済みマスタが作成されてしまい、用紙Ｐも両面印刷時の２倍の数が必要となる。本発明ではこのような不具合の発生を防止し、両面印刷キー４１を押下し忘れたり押下することを知らなかったりした場合においても両面印刷が可能となる構成を採用している。以下、本発明の第１の実施形態における動作を図４に示すフローチャートに基づいて説明する。
【００３６】
オペレータにより原稿トレイ６２上に原稿がセットされ、製版動作と印刷動作とを連続して行うモードが設定された後に使用する給紙トレイが選択され、印刷枚数が置数された後に製版スタートキー３５が押下されると、ＡＤＦユニット６１が作動して原稿トレイ６２上の原稿を１枚フィードする（ＳＴ１）。フィード後、原稿センサ６３がオンしているか否かが判断され（ＳＴ２）、原稿センサ６３がオンしている場合には原稿トレイ６２上に複数枚の原稿が載置されていると判断し、次に給紙トレイとして両面印刷が可であるトレイ（第１給紙トレイ４６及びＡ４サイズ以下の用紙Ｐが積載された第３給紙トレイ４８）が選択されているか否かが判断される（ＳＴ３）。両面印刷が可であるトレイが選択されている場合には制御手段３０は自動的に両面印刷モードに設定し（ＳＴ４）、両面印刷モードにおけるジョブパラメータを作成して（ＳＴ５）孔版印刷装置１に両面印刷モード時における製版動作及び印刷動作を行わせる（ＳＴ６）。
【００３７】
ＳＴ２で原稿センサ６３がオンしていない場合には原稿トレイ６２上に２枚目以降の原稿が載置されていないと判断し、制御手段３０は自動的に片面印刷モードに設定して（ＳＴ７）片面印刷モードにおけるジョブパラメータを作成し（ＳＴ８）、孔版印刷装置１に片面印刷モード時における製版動作及び印刷動作を行わせる（ＳＴ９）。また、ＳＴ２で原稿センサ６３がオンしていてもＳＴ３で両面印刷が不可であるトレイが選択されている場合には、制御手段３０は自動的に片面印刷モードに設定して片面印刷モードにおけるジョブパラメータを作成し、孔版印刷装置１に片面印刷モード時における製版動作及び印刷動作を行わせる。
【００３８】
この構成によれば、オペレータが両面印刷キー４１を押下し忘れたり押下することを知らなかったりした場合及び不適切な操作を行って両面印刷モードが設定されていなくとも、原稿枚数及び使用する給紙トレイの種類を制御手段３０が判断して自動的に両面印刷が行われるので、オペレータが意識することなく自動的に両面印刷を行うことができ、マスタ及び用紙Ｐの消費量を半減してコスト低減を図ることができる。
【００３９】
図５は、本発明の第２の実施形態に用いられる孔版印刷装置を示している。この孔版印刷装置６５は、第１の実施形態で示した孔版印刷装置１と比較すると、パーソナルコンピュータ等の外部装置６６にオンライン接続されており、オンラインでの製版と蓄積画像の製版とが可能に構成されている点においてのみ相違しており、他の構成は同一である。この第２の実施形態における動作を図６に示すフローチャートに基づいて説明する。
【００４０】
外部装置６６より画像データが送信され、製版動作と印刷動作とを連続して行うモードが設定された後に使用する給紙トレイが選択され、印刷枚数が置数された後に製版スタートキー３５が押下されると、制御手段３０は受信した画像データをメモリ上に描画する（ＳＴ１１）。描画後、次の画像データを受信したか否かが判断され（ＳＴ１２）、次の画像データを受信したと判断した場合には次に給紙トレイとして両面印刷が可であるトレイが選択されているか否かが判断される（ＳＴ１３）。両面印刷が可であるトレイが選択されている場合には制御手段３０は自動的に両面印刷モードに設定し（ＳＴ１４）、両面印刷モードにおけるジョブパラメータを作成して（ＳＴ１５）孔版印刷装置１に両面印刷モード時における製版動作及び印刷動作を行わせる（ＳＴ１６）。
【００４１】
ＳＴ１２で次の画像データを受信していないと判断した場合には制御手段３０は自動的に片面印刷モードに設定して（ＳＴ１７）片面印刷モードにおけるジョブパラメータを作成し（ＳＴ１８）、孔版印刷装置１に片面印刷モード時における製版動作及び印刷動作を行わせる（ＳＴ１９）。また、ＳＴ１２で次の画像データを受信していてもＳＴ１３で両面印刷が不可であるトレイが選択されている場合には、制御手段３０は自動的に片面印刷モードに設定して片面印刷モードにおけるジョブパラメータを作成し、孔版印刷装置１に片面印刷モード時における製版動作及び印刷動作を行わせる。
【００４２】
この構成によれば、オペレータが両面印刷キー４１を押下し忘れたり押下することを知らなかったりした場合及び不適切な操作を行って両面印刷モードが設定されていなくとも、受信した画像データの数及び使用する給紙トレイの種類を制御手段３０が判断して自動的に両面印刷が行われるので、オペレータが意識することなく自動的に両面印刷を行うことができ、マスタ及び用紙Ｐの消費量を半減してコスト低減を図ることができる。
【００４３】
次に、本発明の第３の実施形態を説明する。この第３の実施形態は、上述した孔版印刷装置１及び孔版印刷装置６５の何れにも適用可能であり、ここでは孔版印刷装置１に適用した例を説明する。第１の実施形態ではトレイ選択キー６４により使用する給紙トレイを選択する構成としたが、この第３の実施形態では操作パネル１５上の図示しない用紙サイズ選択キーにより使用する用紙Ｐのサイズを選択する構成としている。以下、本発明の第３の実施形態における動作を図７に示すフローチャートに基づいて説明する。
【００４４】
オペレータにより原稿トレイ６２上に原稿がセットされ、製版動作と印刷動作とを連続して行うモードが設定された後に使用する用紙サイズが選択され、印刷枚数が置数された後に製版スタートキー３５が押下されると、ＡＤＦユニット６１が作動して原稿トレイ６２上の原稿を１枚フィードする（ＳＴ２１）。フィード後、原稿センサ６３がオンしているか否かが判断され（ＳＴ２２）、原稿センサ６３がオンしている場合には原稿トレイ６２上に複数枚の原稿が載置されていると判断し、次に用紙サイズとして両面印刷が可であるサイズ（Ａ４サイズ以下）が選択されているか否かが判断される（ＳＴ２３）。両面印刷が可である用紙サイズが選択されている場合には制御手段３０は自動的に両面印刷モードに設定し（ＳＴ２４）、両面印刷モードにおけるジョブパラメータを作成して（ＳＴ２５）孔版印刷装置１に両面印刷モード時における製版動作及び印刷動作を行わせる（ＳＴ２６）。
【００４５】
ＳＴ２２で原稿センサ６３がオンしていない場合には原稿トレイ６２上に２枚目以降の原稿が載置されていないと判断し、制御手段３０は自動的に片面印刷モードに設定して（ＳＴ２７）片面印刷モードにおけるジョブパラメータを作成し（ＳＴ２８）、孔版印刷装置１に片面印刷モード時における製版動作及び印刷動作を行わせる（ＳＴ２９）。また、ＳＴ２２で原稿センサ６３がオンしていてもＳＴ２３で両面印刷が不可である用紙サイズが選択されている場合には、制御手段３０は自動的に片面印刷モードに設定して片面印刷モードにおけるジョブパラメータを作成し、孔版印刷装置１に片面印刷モード時における製版動作及び印刷動作を行わせる。
【００４６】
この構成によれば、オペレータが両面印刷キー４１を押下し忘れたり押下することを知らなかったりした場合及び不適切な操作を行って両面印刷モードが設定されていなくとも、原稿枚数及び使用する用紙サイズを制御手段３０が判断して自動的に両面印刷が行われるので、オペレータが意識することなく自動的に両面印刷を行うことができ、マスタ及び用紙Ｐの消費量を半減してコスト低減を図ることができる。
【００４７】
次に、本発明の第４の実施形態を説明する。この第４の実施形態は、上述した孔版印刷装置１及び孔版印刷装置６５の何れにも適用可能であり、ここでは孔版印刷装置１に適用した例を説明する。以下、本発明の第４の実施形態における動作を図８に示すフローチャートに基づいて説明する。
【００４８】
オペレータにより原稿トレイ６２上に原稿がセットされた後、製版動作と印刷動作とを連続して行うモードが設定され、印刷枚数が置数された後に製版スタートキー３５が押下されると、ＡＤＦユニット６１が作動して原稿トレイ６２上の原稿を１枚フィードする（ＳＴ３１）。フィード後、原稿センサ６３がオンしているか否かが判断され（ＳＴ３２）、原稿センサ６３がオンしている場合には原稿トレイ６２上に複数枚の原稿が載置されていると判断し、次に印刷枚数として所定値以上の枚数が設定されているか否かが判断される（ＳＴ３３）。所定値以上の印刷枚数が設定されている場合には制御手段３０は自動的に両面印刷モードに設定し（ＳＴ３４）、両面印刷モードにおけるジョブパラメータを作成して（ＳＴ３５）孔版印刷装置１に両面印刷モード時における製版動作及び印刷動作を行わせる（ＳＴ３６）。
【００４９】
ＳＴ３２で原稿センサ６３がオンしていない場合には原稿トレイ６２上に２枚目以降の原稿が載置されていないと判断し、制御手段３０は自動的に片面印刷モードに設定して（ＳＴ３７）片面印刷モードにおけるジョブパラメータを作成し（ＳＴ３８）、孔版印刷装置１に片面印刷モード時における製版動作及び印刷動作を行わせる（ＳＴ３９）。また、ＳＴ３２で原稿センサ６３がオンしていてもＳＴ３３で所定値以下の印刷枚数が設定されている場合には、制御手段３０は自動的に片面印刷モードに設定して片面印刷モードにおけるジョブパラメータを作成し、孔版印刷装置１に片面印刷モード時における製版動作及び印刷動作を行わせる。
【００５０】
この構成によれば、オペレータが両面印刷キー４１を押下し忘れたり押下することを知らなかったりした場合及び不適切な操作を行って両面印刷モードが設定されていなくとも、原稿枚数及び印刷枚数を制御手段３０が判断して自動的に両面印刷が行われるので、オペレータが意識することなく自動的に両面印刷を行うことができ、マスタ及び用紙Ｐの消費量を半減してコスト低減を図ることができる。
【００５１】
上述した第１ないし第４の実施形態では、各パラメータによって制御手段３０が自動的に印刷モードを設定する構成としたが、操作パネル１５上に切り替えスイッチを設けて制御手段３０により印刷モードを自動的に切り替えるか否かを選択可能である構成、切り替えスイッチを設けて制御手段３０により印刷モードを自動的に切り替える第１の態様と制御手段３０により印刷モードを自動的に切り替えるか否かを選択可能な第２の態様とを選択可能な構成を採用してもよい。この構成によれば、従来の孔版印刷装置と同様の機能を選択することができ、操作性を向上することができる。
【図面の簡単な説明】
【００５２】
【図１】本発明の第１の実施形態を採用した両面印刷が可能な孔版印刷装置の概略正面図である。
【図２】本発明の第１の実施形態に用いられる操作パネルの概略図である。
【図３】本発明の第１の実施形態に用いられる制御手段のブロック図である。
【図４】本発明の第１の実施形態における制御を説明するフローチャートである。
【図５】本発明の第２の実施形態を採用した両面印刷が可能な孔版印刷装置の概略正面図である。
【図６】本発明の第２の実施形態における制御を説明するフローチャートである。
【図７】本発明の第３の実施形態における制御を説明するフローチャートである。
【図８】本発明の第４の実施形態における制御を説明するフローチャートである。
【符号の説明】
【００５３】
１  孔版印刷装置
２  印刷部
４  給紙部
９  再給紙手段
１１  版胴
１２  押圧手段（プレスローラ）
１４  分割製版済みマスタ
３０  制御手段
４２  装置本体
４６，４７，４８  給紙トレイ
６１  自動原稿読取装置
６６  外部装置
Ｐ  用紙
【図１】
2008290296.tif 000003
【図２】
2008290296.tif 000004
【図３】
2008290296.tif 000005
【図４】
2008290296.tif 000006
【図５】
2008290296.tif 000007
【図６】
2008290296.tif 000008
【図７】
2008290296.tif 000009
【図８】
2008290296.tif 000010